(57)【要約】      （修正有）【課題】チャンネル数が少なくとも、所要の機能を発揮することができるピークホールド回路を提供する。【解決手段】正側のコンパレータ２６の出力で負側のホールド用スイッチ２０を制御し、負側のコンパレータ２８の出力で正側のホールド用スイッチ１８を制御するように構成されていることを特徴とするピークホールド回路１０が提供される。好ましくは、ピークホールド回路は、入力電圧が正の閾値よりも高くなると、負側のホールド用スイッチがオフになり、入力電圧が負の閾値よりも低くなると、正側のホールド用スイッチがオフになるように構成されている。【選択図】図１
0003145185.tif 000002
【実用新案登録請求の範囲】
【請求項１】
正側のコンパレータ出力で負側のホールド用スイッチを制御し、負側のコンパレータ出力で正側のホールド用スイッチを制御するように構成されていることを特徴とするピークホールド回路。
【請求項２】
入力電圧が正の閾値よりも高くなると、前記負側のホールド用スイッチがオフになり、入力電圧が負の閾値よりも低くなると、前記正側のホールド用スイッチがオフになるように構成されていることを特徴とする請求項１に記載されたピークホールド回路。
【請求項３】
前記正側のホールド用スイッチと前記負側のホールド用スイッチが、ホールドコンデンサの第１電極に接続され、前記ホールドコンデンサの前記第１電極が、第１コンパレータの反転入力端子および第２コンパレータの非反転入力端子にそれぞれ接続され、前記第１コンパレータの出力端子が、前記負側のホールド用スイッチに接続され、前記第２コンパレータの出力端子が、前記正側のホールド用スイッチに接続されていることを特徴とする請求項１又は２に記載されたピークホールド回路。
【考案の詳細な説明】
【技術分野】
【０００１】
本考案は一般に、ピークホールド回路に関する。より詳細には、本考案は、少ないチャンネル数で所要の機能を発揮することができるピークホールド回路に関する。
【背景技術】
【０００２】
衝撃等の正のピークと負のピークをホールドするピークホールド回路において、ホールドされた電圧をマイクロコンピュータのＡ／Ｄ変換器等で取り込もうとする場合、正のピーク用と負のピーク用として２チャンネルのアナログ入力が必要となる。したがって、例えば、Ｘ軸、Ｙ軸、Ｚ軸の３軸の衝撃について正負のピークをホールドしようとする場合、各軸について正負のピークをホールドするため、計６チャンネルのアナログ入力が必要となる。
【考案の開示】
【考案が解決しようとする課題】
【０００３】
マイクロコンピュータのＡ／Ｄ変換器のチャンネル数は一般的に、８チャンネルのものが多い。したがって、上述の例のような３軸の衝撃の他に、温度や湿度などのアナログ電圧を取り込もうとすると、チャンネル数が不足するという弊害が生ずる。一方、チャンネル数の不足が生じないように、チャンネル数を拡張しようとすると、コストが嵩んだり、サイズが大きくなるという不都合が生ずる。
【０００４】
本考案は、このような現状に鑑みて開発されたものであって、チャンネル数が少なくとも、所要の機能を発揮することができるピークホールド回路を提供することを目的としている。
【課題を解決するための手段】
【０００５】
本願請求項１に記載されたピークホールド回路は、正側のコンパレータ出力で負側のホールド用スイッチを制御し、負側のコンパレータ出力で正側のホールド用スイッチを制御するように構成されていることを特徴とするものである。
【０００６】
本願請求項２に記載されたピークホールド回路は、前記請求項１の回路において、入力電圧が正の閾値よりも高くなると、前記負側のホールド用スイッチがオフになり、入力電圧が負の閾値よりも低くなると、前記正側のホールド用スイッチがオフになるように構成されていることを特徴とするものである。
【０００７】
本願請求項３に記載されたピークホールド回路は、前記請求項１又は２の回路において、前記正側のホールド用スイッチと前記負側のホールド用スイッチが、ホールドコンデンサの第１電極に接続され、前記ホールドコンデンサの前記第１電極が、第１コンパレータの反転入力端子および第２コンパレータの非反転入力端子にそれぞれ接続され、前記第１コンパレータの出力端子が、前記負側のホールド用スイッチに接続され、前記第２コンパレータの出力端子が、前記正側のホールド用スイッチに接続されていることを特徴とするものである。
【考案の効果】
【０００８】
本考案のピークホールド回路によれば、正負のピーク出力を兼用とし、正負いずれか先に閾値を超えた方を選択してホールドするように構成されているので、正のピーク用と負のピーク用として１チャンネルのアナログ入力で足りる。したがって、３軸の衝撃の場合を例にとると、Ｘ軸、Ｙ軸、Ｚ軸の３軸の衝撃について正負のピークをホールドしようとする場合、３チャンネルのアナログ入力で足りることとなる。一般的に、マイクロコンピュータのＡ／Ｄ変換器のチャンネル数は上述のように８チャンネルのものが多いが、本考案のピークホールド回路を利用することにより、３軸の衝撃の他に温度や湿度などのアナログ電圧を取り込もうとする場合であっても、チャンネル数に余裕が生ずる。
【０００９】
また、本考案のピークホールド回路において、正負それぞれのコンパレータ出力で互いのホールド用スイッチを制御することにより、デジタル的なシーケンス回路が不要になり、部品点数を最小限とすることができる。
【考案を実施するための最良の形態】
【００１０】
次に図面を参照して、本考案の好ましい実施の形態に係るピークホールド回路について詳細に説明する。図１は、本考案の好ましい実施の形態に係るピークホールド回路を模式的に示したブロック図である。
【００１１】
図１において全体として参照符号１０で示される本考案の好ましい実施の形態に係るピークホールド回路は、差動増幅器１２を備えている。差動増幅器１２では、入力電圧Ｖiが増幅される。差動増幅器１２の出力は、整流用の第１ダイオード１４のアノードと第２ダイオード１６のカソードにそれぞれ接続されている。
【００１２】
第１ダイオード１４のカソードは、第１アナログスイッチ１８に接続され、第２ダイオード１６のアノードは、第２アナログスイッチ２０に接続されている。第１アナログスイッチ１８は、正側の電圧をホールドするためのもの（正側のホールド用スイッチ）であり、第２アナログスイッチ２０は、負側の電圧をホールドするためのもの（負側のホールド用スイッチ）である。
【００１３】
第１アナログスイッチ１８および第２アナログスイッチ２０はともに、ホールドコンデンサ２２の第１電極に接続されており、ホールドコンデンサ２２の第２電極は、グランドに接続されている。
【００１４】
ホールドコンデンサ２２の第１電極は、第３アナログスイッチ２４に接続されており、第３アナログスイッチ２４は、第１コンパレータ２６の反転入力端子および第２コンパレータ２８の非反転入力端子にそれぞれ接続されているとともに、グランドにも接続されている。第３アナログスイッチ２４は、放電を目的とするものである。
【００１５】
第１コンパレータ２６の出力端子は、負側のホールド用スイッチとなる第２アナログスイッチ２０に接続され、第２コンパレータ２８の出力端子は、正側のホールド用スイッチとなる第１アナログスイッチ１８に接続されている。
【００１６】
次に、図２を参照して、以上のように構成されたピークホールド回路１０が、どのように動作するのかについて説明する。差動増幅器１２に電圧Ｖi が入力される状態を考える。入力電圧Ｖi が正の閾値Ｖt+よりも高い場合には、第１コンパレータ２６の出力がＬレベル（図２（ａ）において長破線で図示）となる。なお、この場合、トリガ出力ＴＲＧもＬレベルとなる。
【００１７】
これにより、第１コンパレータ２６の出力端子と接続されている第２アナログスイッチ（負側のホールド用スイッチ）２０がオフになり、したがって、引き続き正値のみがホールドされるようになる。
【００１８】
これに対し、入力電圧Ｖi が負の閾値Ｖt-よりも低い場合には、第２コンパレータ２８の出力がＬレベル（図２（ｂ）において長破線で図示）となる。なお、この場合、トリガ出力ＴＲＧもＬレベルとなる。
【００１９】
これにより、第２コンパレータ２８の出力端子と接続されている第１アナログスイッチ（正側のホールド用スイッチ）１８がオフになり、したがって、引き続き負値のみがホールドされるようになる。
【００２０】
ピークホールド回路１０において、ホールドされた電圧をクリア（ＣＬＲ）するには、ＣＬＲ入力を一瞬の間Ｈレベルにして、第３アナログスイッチ２０をオンにすればよい。
【００２１】
なお、ホールドされた電圧は、Ｖh に出力される。
【００２２】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００２３】
たとえば、図１に示される回路は、本考案のひとつの例にすぎず、１つの出力で正負のピーク出力を兼用することができるように構成された他の形態の回路を用いてもよい。
【図面の簡単な説明】
【００２４】
【図１】本考案の好ましい実施の形態に係るピークホールド回路を模式的に示したブロック図である。
【図２】図１のピークホールド回路の動作を説明するための図である。
【符号の説明】
【００２５】
１０  ピークホールド回路
１２  差動増幅器
１４  第１ダイオード
１６  第２ダイオード
１８  第１アナログスイッチ（正側のホールド用スイッチ）
２０  第２アナログスイッチ（負側のホールド用スイッチ）
２２  ホールドコンデンサ
２４  第３アナログスイッチ（放電用スイッチ）
２６  第１コンパレータ
２８  第２コンパレータ
【図１】
0003145185.tif 000003
【図２】
0003145185.tif 000004